【手続補正書】
【提出日】平成16年6月25日(2004.6.25)
【手続補正１】
【補正対象書類名】明細書
【補正対象項目名】特許請求の範囲
【補正方法】変更
【補正の内容】
【特許請求の範囲】
【請求項１】
外郭を形成する本体筐体と、
この本体筐体に設けられ、空気を吸い込む吸込口と、
前記本体筐体に収納され、空気の水分の除湿を行う除湿手段と、
前記本体筐体に収納され、空気の送風を行う送風機と、
前記本体筐体に設けられ、縦方向の隙間を乾燥させるのに適した縦長気流をつくる縦長の吹出口と、
を備えたことを特徴とする除湿機。
【請求項２】
外郭を形成する本体筐体と、
この本体筐体に設けられ、空気を吸い込む吸込口と、
前記本体筐体に収納され、空気の水分の除湿を行う除湿手段と、
前記本体筐体に収納され、空気の送風を行う送風機と、
前記本体筐体に設けられ、縦方向の隙間を乾燥させるのに適した縦長気流をつくる縦長の吹出口および洗濯物乾燥に適した気流をつくる横長の吹出し口と、
を備えたことを特徴とする除湿機。
【請求項３】
外郭を形成する本体筐体と、
この本体筐体に設けられ、空気を吸い込む吸込口と、
前記本体筐体に収納され、空気の水分の除湿を行う除湿手段と、
前記本体筐体に収納され、空気の送風を行う送風機と、
前記本体筐体に設けられ、広がり方向が異なる気流を吹き出すことができる環状の吹出口と、
を備えたことを特徴とする除湿機。
【請求項４】
外郭を形成する本体筐体と、
この本体筐体に設けられ、空気を吸い込む吸込口と、
前記本体筐体に収納され、空気の水分の除湿を行う除湿手段と、
前記本体筐体に収納され、空気の送風を行う送風機と、
前記本体筐体に設けられ、広がり方向が異なる気流を吹き出すことができるコの字型の吹出口と、
を備えたことを特徴とする除湿機。
【請求項５】
外郭を形成する本体筐体と、
この本体筐体に設けられ、空気を吸い込む吸込口と、
前記本体筐体に収納され、空気の水分の除湿を行う除湿手段と、
前記本体筐体に収納され、空気の送風を行う送風機と、
前記本体筐体に設けられ、広がり方向が異なる気流を吹き出すことができる折れ線形状の吹出口と、
を備えたことを特徴とする除湿機。
【請求項６】
外郭を形成する本体筐体と、
この本体筐体に設けられ、空気を吸い込む吸込口と、
前記本体筐体に収納され、空気の水分の除湿を行う除湿手段と、
前記本体筐体に収納され、空気の送風を行う送風機と、
前記本体筐体に設けられ、縦長の吹出口と横長の吹出口を含む少なくとも３種類以上の気流を吹出すことができる３個以上の吹出口と、
を備えたことを特徴とする除湿機。
【請求項７】
外郭を形成する本体筐体と、
この本体筐体に設けられ、空気を吸い込む吸込口と、
前記本体筐体に収納され、空気の水分の除湿を行う除湿手段と、
前記本体筐体に収納され、空気の送風を行う、スクロールケーシングを用いないターボファンと、
前記本体筐体に設けられ、空気を吹き出す吹出口と、
を備えたことを特徴とする除湿機。
【請求項８】
前記吹出口として、吹き出し空気を上方向に吹き出す第１の吹出口と、下方向に吹き出す第２の吹出口と、左方向に吹き出す第３の吹出口と、右方向に吹き出す第４の吹出口と、を備えたことを特徴とする請求項７記載の除湿機。
【請求項９】
吹出口を覆う風向可変ベーンを設けたことを特徴とする請求項１〜８のいずれかに記載の除湿機。
【請求項１０】
外郭を形成する本体筐体と、
この本体筐体に設けられ、空気を吸い込む吸込口と、
前記本体筐体に収納され、空気の水分の除湿を行う除湿手段と、
前記本体筐体に収納され、空気の送風を行う送風機と、
前記本体筐体に設けられ、空気を吹き出す吹出口と、
この吹出口を分割して覆う風向可変ベーンと、
を備えたことを特徴とする除湿機。
【手続補正２】
【補正対象書類名】明細書
【補正対象項目名】００１４
【補正方法】変更
【補正の内容】
【００１４】
【課題を解決するための手段】
この発明に係る除湿機は、外郭を形成する本体筐体と、この本体筐体に設けられ、空気を吸い込む吸込口と、本体筐体に収納され、空気の水分の除湿を行う除湿手段と、本体筐体に収納され、空気の送風を行う送風機と、本体筐体に設けられ、縦方向の隙間を乾燥させるのに適した縦長気流をつくる縦長の吹出口と、を備えたものである。
【手続補正３】
【補正対象書類名】明細書
【補正対象項目名】００１５
【補正方法】変更
【補正の内容】
【００１５】
また、外郭を形成する本体筐体と、この本体筐体に設けられ、空気を吸い込む吸込口と、本体筐体に収納され、空気の水分の除湿を行う除湿手段と、本体筐体に収納され、空気の送風を行う送風機と、本体筐体に設けられ、縦方向の隙間を乾燥させるのに適した縦長気流をつくる縦長の吹出口および洗濯物乾燥に適した気流をつくる横長の吹出口と、を備えたものである。
【手続補正４】
【補正対象書類名】明細書
【補正対象項目名】００１７
【補正方法】変更
【補正の内容】
【００１７】
また、外郭を形成する本体筐体と、この本体筐体に設けられ、空気を吸い込む吸込口と、本体筐体に収納され、空気の水分の除湿を行う除湿手段と、本体筐体に収納され、空気の送風を行う送風機と、本体筐体に設けられ、広がり方向が異なる気流を吹き出すことができるコの字型の吹出口と、を備えたものである。
【手続補正５】
【補正対象書類名】明細書
【補正対象項目名】００１９
【補正方法】変更
【補正の内容】
【００１９】
また、外郭を形成する本体筐体と、この本体筐体に設けられ、空気を吸い込む吸込口と、本体筐体に収納され、空気の水分の除湿を行う除湿手段と、本体筐体に収納され、空気の送風を行う送風機と、本体筐体に設けられ、縦長の吹出口と横長の吹出口を含む少なくとも３種類以上の気流を吹出すことができる３個以上の吹出口と、を備えたものである。
【手続補正６】
【補正対象書類名】明細書
【補正対象項目名】００２２
【補正方法】変更
【補正の内容】
【００２２】
また、吹出口を覆う風向可変ベーンを設けたものである。
【手続補正７】
【補正対象書類名】明細書
【補正対象項目名】００２３
【補正方法】変更
【補正の内容】
【００２３】
また、外郭を形成する本体筐体と、この本体筐体に設けられ、空気を吸い込む吸込口と、本体筐体に収納され、空気の水分の除湿を行う除湿手段と、本体筐体に収納され、空気の送風を行う送風機と、本体筐体に設けられ、空気を吹き出す吹出口と、この吹出口を分割して覆う風向可変ベーンと、を備えたものである。
【手続補正８】
【補正対象書類名】明細書
【補正対象項目名】００４８
【補正方法】変更
【補正の内容】
【００４８】
【発明の効果】
この発明に係る除湿機は、縦方向の隙間を乾燥させるのに適した縦長気流をつくる縦長の吹出口を設けることにより、横に細く縦に広い気流をつくることができるので、従来の除湿機より、押し入れ、靴箱の中や家具の裏側などの除湿能力が向上する。
【手続補正９】
【補正対象書類名】明細書
【補正対象項目名】００４９
【補正方法】変更
【補正の内容】
【００４９】
また、縦方向の隙間を乾燥させるのに適した縦長気流をつくる縦長の吹出口および洗濯物乾燥に適した気流をつくる横長の吹出口を設けることにより、従来の横に広く縦に細い気流だけではなく、広がり方向の異なる気流をつくることが可能となり、従来の除湿機よりも用途が広がり使い勝手が向上する。
【手続補正１０】
【補正対象書類名】明細書
【補正対象項目名】００５１
【補正方法】変更
【補正の内容】
【００５１】
また、広がり方向が異なる気流を吹き出すことができるコの字型の吹出口を設けることにより、従来の横に広く縦に細い気流だけではなく、広がり方向が異なる気流をつくることが可能となり、従来の除湿機よりも用途が広がり使い勝手が向上する。
【手続補正１１】
【補正対象書類名】明細書
【補正対象項目名】００５３
【補正方法】変更
【補正の内容】
【００５３】
また、縦長の吹出口と横長の吹出口を含む少なくとも３種類以上の気流を吹出すことができる吹出口を３個以上設けることにより、全体の送風量を落とさずに空気の吹き出し速度を落とすことができ、吹出口での圧力損失が小さくなる。このため従来の除湿機より低騒音に空気を除湿することが可能となる。また、３種類以上の気流を提供できるので、使い勝手が良くなり除湿機としての性能が向上する。